(57)【特許請求の範囲】
【請求項１】
作業ステージ（１０３）と面一状態に保持される板本体（２）と、この板本体（２）の一辺部にヒンジ部（３）を介して連結された作業ステージ（１０３）への取付部材（４）とを有することでこの取付部材（４）に対して板本体（２）が閉止時の作業ステージ形成状態と上方向け開放時の昇降口開放状態との間で開閉自在になされた開閉足場板装置において、
上記板本体（２）と取付部材（４）との両者間には、板本体（２）を開放方向へ押し上げ付勢する付勢具（１６）が設けられており、
この付勢具（１６）が、板本体（２）の閉止時には板本体（２）を作業ステージ（１０３）面との面一状態から浮き上がらせることがなく且つ板本体（２）の開放操作時にはその操作力を付勢具（１６）無しのときの開放操作力に比して半分以下に軽減可能な付勢力に設定されていることを特徴とする開閉足場板装置。
【請求項２】
前記取付部材（４）は、板本体（２）が閉止状態にあるときにこの板本体（２）を取り囲む枠型を呈していると共に板本体（２）の開閉時にこの板本体（２）において揺動軌跡を描くことになる両側辺部に対応してこれらの閉止位置下部へ張り出すフランジ部（２０）を有しており、
前記付勢具（１６）は、上記取付部材（４）のフランジ部（２０）と板本体（２）との上下間に挟まれる配置で設けられていることを特徴とする請求項１記載の開閉足場板装置。
【請求項３】
前記板本体（２）において、ヒンジ部（３）はその取付辺部に対する両端寄り２カ所に振り分けて位置付けられており、これらヒンジ部（３）よりも更に外側位置に前記付勢具（１６）が設けられていることを特徴とする請求項１記載の開閉足場板装置。
【発明の詳細な説明】
【０００１】
【発明の属する技術分野】
本発明は、開閉足場板装置に関するものである。
【０００２】
【従来の技術】
図１６に示すように、建物内の天井など、高い位置での作業を行う場合に用いるローリングタワー（移動式足場）１００は、４本の脚１０１に車輪１０２を設けて最上段と必要に応じて中間段に作業ステージ１０３〜１０５を組み上げるようにしたものである。
このようなローリングタワー１００では、作業ステージ１０３〜１０５への昇り降りのために階段や梯子（図１６では内階段１０６としている）を設けてある。この図１６に示したものとは異なって、そもそもこれらの階段や梯子は作業ステージ１０３〜１０５を狭めないためにタワー外部に設けられているのが普通であり、その意味では、更に言えば、階段よりも出っ張りをコンパクトに収められる梯子（垂直梯子）の方が、採用される場合が多く見受けられた。
【０００３】
しかし、梯子の場合、昇り降りのためには両手がふさがってしまうことから、工具類の上げ下ろし等に不便となり、また昇り降り自体も容易とは言えないものである。
そこで最近では、図１６に示すように、この種のローリングタワー１００に対して内階段１０６を設けることが検討されている。ただ、内階段１０６を採用する場合、作業ステージ１０３，１０４への昇り降りのためには作業ステージ１０３，１０４自体に開口（昇降口１０７）を設ける必要が生じる。
【０００４】
しかし、このために作業ステージ１０４，１０５が狭くなるということがあると不都合であるため、この昇降口１０７は不使用時に板材１０８により閉止して、この板材１０８上面をも作業ステージ１０３，１０４の一部として使用することができるようにしたもの（以下、このように昇降口１０７に板材１０８を開閉自在に設けたものを「開閉足場板装置」と言う）を設けることが必要になってくる。
【０００５】
【発明が解決しようとする課題】
上記したような開閉足場板装置では、板材１０８の閉止時にはその上面を作業ステージ１０３，１０４の一部として使用することになるので、この板材１０８にはある程度の強度を必要とすることになる。また当然に、昇降口１０７は作業者の通過を可能とさせるために大きな開口とする必要があり、従ってこの大開口の昇降口１０７を塞ぐ必要のある板材１０８は、それなりに大きなものが必要になる。すなわち、これらのことから、板材１０８は自ずと自荷重が重くなる。
【０００６】
そのため、この板材１０８を開閉するに際して、下側（内階段１０６側）から持ち上げるための操作力や上側（作業ステージ１０３，１０４側）から引き上げるための操作力として、かなり大きなものが必要になり、非常に操作し難いものとなるおそれがあった。
なお、このようなことに対処するため、板材１０８の開閉をバネ力等によって補わせようとすることが考えられるが、この場合、板材１０８を閉止した状態下で板材１０８がバネ力で浮き上がらないようにさせるために閉止ロック機構が必須不可欠になるばかりでなく、仮にこの閉止ロック機構を設けたところで、そのロック解除時には、これと同時に板材１０８が浮き上がってしまうことになり、そのために既に作業ステージ１０３，１０４上にいる作業者にとって板材１０８が足のつまずきの原因になる等、不具合を招来するおそれがあった。
【０００７】
本発明は、上記事情に鑑みてなされたものであって、開閉操作を軽快に行えるようにし、しかも閉止状態下における不具合の発生を未然に防止できるようにした開閉足場板装置を提供することを目的とする。
【０００８】
【課題を解決するための手段】
前記目的を達成するために、本発明は次の手段を講じた。
即ち、本発明に係る開閉足場板装置は、作業ステージと面一状態に保持される板本体と、この板本体の一辺部にヒンジ部を介して連結された作業ステージへの取付部材とを有することで、この取付部材に対して板本体が閉止時の作業ステージ形成状態と上方向け開放時の昇降口開放状態との間で開閉自在になされたものである。
【０００９】
そして、上記板本体と取付部材との両者間には、板本体を開放方向へ押し上げ付勢する付勢具（例えばバネ）が設けられている。
この付勢具は、板本体の閉止時には、板本体を作業ステージ面との面一状態から浮き上がらせることがないような付勢力に設定されている。
また、そのうえでこの付勢具は、板本体の開放操作時には、付勢具無しのときの開放操作力に比して半分以下に軽減可能とする付勢力に設定されている。
このようなことから、板本体を閉止状態にした場合には、わざわざ板本体に対する閉止ロック機構を設けなくても、板本体が作業ステージから浮き上がるようにはならず、面一状態を保持するようになっている。もっとも、本発明では閉止ロック機構を不要にすることが重要という意味ではない。そのため、閉止ロック機構を設けることによって一層確実な閉止状態を得るようにすることは当然に可能である。
【００１０】
従って、本発明では、作業ステージ上の作業者が、閉止状態にある板本体を原因としてつまずくということはない。
勿論、この板本体を開放操作するうえでは、その操作力が軽減されているため、容易に開放できるものである。
取付部材は、板本体が閉止状態にあるときにこの板本体を取り囲む枠型を呈したものとすることができる。この場合、板本体の開閉時にこの板本体において揺動軌跡を描くことになる両側辺部に対応させるかたちで、これらの閉止位置下部へ張り出すフランジ部を設けておくのが好適である。
【００１１】
このようにすると、付勢具は、上記取付部材のフランジ部と板本体との上下間に挟まれる配置で設けることができる。
すなわち、この開閉足場板装置を下から見上げた場合も、また上から見下ろした場合も、付勢具は見えないことになる。そのため、外観的にすっきりとなるし、また昇降口を介して昇り降りする作業者が付勢具に接触して衣服が汚れたり傷ついたりすることも防止されるものである。
板本体において、ヒンジ部はその取付辺部に対する両端寄り２カ所に振り分けて位置付けられたものとすることができる。この場合、これらヒンジ部よりも更に外側位置に付勢具を設けるのが好適となる。
【００１２】
このようにすることで、板本体に対し、万が一、ヒンジ部相互間に撓みや反り等が発生したような場合でも、付勢具による付勢力（開放操作力の軽減作用）が円滑且つ十分に発揮されることになる。
【００１３】
【発明の実施の形態】
以下、本発明の実施の形態を、図面に基づき説明する。
図１乃至図４は、本発明に係る開閉足場板装置１の第１実施形態を示したものである。
この開閉足場板装置１は、作業ステージ（図１６中の符号１０３等を参照）と面一状態に保持される板本体２と、この板本体２の一辺部にヒンジ部３を介して連結された取付部材４とを有している。
【００１４】
板本体２は、作業者の通過を可能とさせるために大きな開口（例えば１５７１×３７８．５ｍｍの長方形開口）の昇降口５を形成させ、また塞ぐことのできる形状（即ち、長方形板状である）及び大きさに形成されている。
この板本体２は、薄い金属板７の裏部外周部に条材８を額縁状に取り付け、また必要に応じてこの額縁の内側にも複数本の条材８を取り付けて補強したものである。金属板７や条材８にはアルミ合金などが用いられ、軽量化が図られている。
【００１５】
この板本体２の上面には、小さな隆起部の中心部へ小径孔が形成された凸部９を多数散在状に設けて、滑止め作用、補強作用、及び排水作用などが得られるようにしてある。
取付部材４は、この開閉足場板装置１を作業ステージ１０３等へ取り付けるためのものである。
本第１実施形態において取付部材４は、長方形板状とした板本体２が昇降口５を閉止状態にしているときに、この板本体２を取り囲むことのできるような枠型を呈したものとしてあり、この枠型における長手方向両側へ延出するようにしてフック部１２が突設されたものを示している。
【００１６】
従って、これらフック部１２を、ローリングタワー１００（図１６参照）を構成しているフレームの横桟部分などへ掛け止めするようにして作業ステージ１０３等との連携が可能になっている。
板本体２と取付部材４とを連結しているヒンジ部３は、板本体２の一方の長辺部に対してその両端寄りにそれぞれ配するかたちで、２個用いられている。従って板本体２は、その短辺側の辺長を半径とする揺動によって開閉動作が可能になっている。
【００１７】
そして、取付部材３に対して板本体２が閉止状態となれば、この板本体２の上面が作業ステージ形成状態となり、またこの状態から板本体２が上方向きに揺動されて開放状態とされれば、取付部材３の枠内に昇降口５を形成させた昇降口開放状態となるものである。
なお、本第１実施形態において、板本体２には、ヒンジ部３の取付辺部とは対辺側となる長辺部の長手方向中央部に適宜閉止ロック機構１３が設けられており、これに対して取付部材４には、この閉止ロック機構１３を受けるためのロック受部（図示略）が設けられている。
【００１８】
この閉止ロック機構１３は、この板本体２が閉止状態にあるときに下側からの操作が可能となるように、板本体２の裏面側に取り付けられているが、板本体２にはこの閉止ロック機構１３に対応させて操作用口１４が設けられており、この操作用口１４を介して上方からの操作も可能になっている。
板本体２と取付部材４との両者間には、板本体２を開放方向へ押し上げ付勢する付勢具１６が設けられている。この付勢具１６は、各ヒンジ具３に近接する配置で２個設けられており、且つそれぞれ、ヒンジ具３よりも更に外側となるように位置付けられている。
【００１９】
本第１実施形態において、この付勢具１６にはコイルバネ１７を用いてある。すなわち、図３に示すように、コイルバネ１７における両側のコイル端１７ａ，１７ｂをそれぞれ接線方向へ延ばしておき、このコイルバネ１７の巻回軸心を板本体２の長辺部に平行させるようにした状態で、一方のコイル端１７ａを板本体２の裏面へ当接させ、同他方のコイル端１７ｂを、取付部材４に設けたフランジ部２０の上向き面へ当接させたものとしてある。
図４に示すように、このフランジ部２０は、板本体２の開閉時にこの板本体２において揺動軌跡を描くことになる両側辺部（即ち、両側の短辺部）の下部を受けるように張り出したものである。
【００２０】
従ってこの付勢具１６は、取付部材４のフランジ部２０と板本体２との上下間に挟まれる配置となり、この開閉足場板装置１を下から見上げた場合も、また上から見下ろした場合も、付勢具１６は見えない状態となる。
そのため、外観的にすっきりとなる。また昇降口５を介して昇り降りする作業者が付勢具１６に接触して衣服が汚れたり傷ついたりすることも防止されることになる。
このコイルバネ１７は、板本体２が開放状態にあるときから閉止状態になるにしたがって両側のコイル端１７ａ，１７ｂ間でトーション（ねじり）作用に対する弾性反発力を蓄えるように取り付けられており、この弾性反発力を、板本体２の開放時に対する操作力補助とすべき付勢力に利用する構造である。
【００２１】
このため、板本体２を開放方向へ操作する場合、板本体２の立ち上がり角度が直立状態に近づいたときのある角度位置でバネ力（付勢具１６としての付勢作用）が強まる作用が得られ、これに伴って、板本体２の開放状態が確実に保持される、といった作用が得られることになる。従って、万が一、開放状態の板本体２に誤って作業者が触れても、これによって板本体２が急に倒れるといったことが防止されることになる。
この付勢具１６において、その付勢力は、板本体２の閉止時には板本体２を作業ステージ１０３等の上面と面一にさせる状態から浮き上がらせることがないように設定されている。この状態は、閉止ロック機構１３によるロックをしていない状況下を言うことは言うまでもない。
【００２２】
これにより、作業ステージ１０３上にいる作業者が、閉止状態にある板本体２を原因としてつまずくということが防止される。
また、そのうえでこの付勢具１６は、板本体２の開放操作時においてその操作力を、付勢具１６が無いときのときの開放操作力に比して半分以下に軽減可能とするように設定されている。
例えば、板本体２の自荷重が８ｋｇであったとすると、この板本体２を開閉操作するために必要とされる操作力は、付勢具１６を設けない場合、おおよそ４．５ｋｇになる。これに対し、付勢具１６を取り付けることによってこの操作力が２．０ｋｇ程度（好ましくは約１．８ｋｇ程度）になるように設定する。これにより、板本体２の開閉操作が容易になる。
【００２３】
上記したところから明らかなように、付勢具１６は板本体２の長手方向両端寄りに位置付けられ、且つそれぞれヒンジ部３に近接して配されているので、この板本体２に万が一、ヒンジ部３の相互間で撓みや反り等が発生したような場合でも、付勢具１６による付勢力（開放操作力の軽減作用）は円滑且つ十分に発揮されることになる。
図５乃至図７は、本発明に係る開閉足場板装置１の第２実施形態を示している。この第２実施形態の開閉足場板装置１が上記した第１実施形態と最も異なるところは付勢具１６に用いているコイルバネ３０の構造にある。
【００２４】
すなわち、本第２実施形態の付勢具１６として用いたコイルバネ３０は、その両側のコイル端３０ａ，３０ｂをそれぞれ接線方向へ延ばしておき、このコイルバネ３０の巻回軸心を板本体２の長辺部に平行させるようにした状態で、一方のコイル端３０ａには回転自在なローラ３１を保持させてこのローラ３１を板本体２の裏面へ当接させ、同他方のコイル端３０ｂを、取付部材４に対してボルト止め部３２によって固定させたものとしてある。
なお、言うまでもなく、このコイルバネ３０は、板本体２が開放状態にあるときから閉止状態になるにしたがって両側のコイル端３０ａ，３０ｂ間でトーション（ねじり）作用に対する弾性反発力を蓄えるように取り付けられており、この弾性反発力を、板本体２の開放時に対する操作力補助とすべき付勢力に利用する構造であることは、第１実施形態の場合と同様である。
【００２５】
このローラ３１の使用によってバネ力（付勢具１６としての付勢作用）が一層円滑に生起するようになり、また静穏化が図られるようになる。
その他の構成及び作用効果については第１実施形態と略同様であるため、ここでの詳説は省略する。
図８乃至図１０は、本発明に係る開閉足場板装置１の第３実施形態を示している。この第３実施形態の開閉足場板装置１が上記した第１実施形態と最も異なるところは付勢具１６に用いているコイルバネ３５の構造にある。
【００２６】
すなわち、本第３実施形態の付勢具１６として用いたコイルバネ３５は、その両側のコイル端３５ａ，３５ｂをそれぞれ接線方向へ延ばしておき、このコイルバネ３５の巻回軸心を板本体２の長辺部に平行させるようにした状態で、両方のコイル端３５ａ，３５ｂとも、板本体２及び取付部材４に対してボルト止め部３６によって固定させたものとしてある。
なお、言うまでもなく、このコイルバネ３５は、板本体２が開放状態にあるときから閉止状態になるにしたがって両側のコイル端３５ａ，３５ｂ間でトーション（ねじり）作用に対する弾性反発力を蓄えるように取り付けられており、この弾性反発力を、板本体２の開放時に対する操作力補助とすべき付勢力に利用する構造であることは、第１実施形態の場合と同様である。
【００２７】
その他の構成及び作用効果については第１実施形態と略同様であるため、ここでの詳説は省略する。
図１１乃至図１３は、本発明に係る開閉足場板装置１の第４実施形態を示している。この第４実施形態の開閉足場板装置１が上記した第１実施形態と最も異なるところは付勢具１６に用いているコイルバネ３９の構造にある。
すなわち、本第４実施形態の付勢具１６として用いたコイルバネ３９は、その両側のコイル端３９ａ，３９ｂをそれぞれ接線方向へ延ばしておき、このコイルバネ３９の巻回軸心を板本体２の長辺部に平行させるようにした状態で、両方のコイル端３９ａ，３９ｂとも、板本体２及び取付部材４に対してボルト止め部３６によって固定させたものとしてある。
【００２８】
そしてこのとき、コイルバネ３９のコイル本体部分が、第１乃至第３実施形態とは前後逆向きとなるようにしている。
なお、言うまでもなく、このコイルバネ３９は、板本体２が開放状態にあるときから閉止状態になるにしたがって両側のコイル端３９ａ，３９ｂ間でトーション（ねじり）作用に対する弾性反発力を蓄えるように取り付けられており、この弾性反発力を、板本体２の開放時に対する操作力補助とすべき付勢力に利用する構造であることは、第１実施形態の場合と同様である。
【００２９】
その他の構成及び作用効果については第１実施形態と略同様であるため、ここでの詳説は省略する。
図１４及び図１５は、本発明に係る開閉足場板装置１の第５実施形態を示している。この第５実施形態の開閉足場板装置１が上記した第１乃至第４実施形態と最も異なるところは、付勢具１６としてダンパー４３を用いている点にある。
すなわち、このダンパー４３は、シリンダ４４の一端側からロッド４５が伸縮自在な状態で延び出され、且つこのロッド４５がシリンダ４４内の内装バネ（図示略）等によって伸出方向へ向けて付勢された構造になっている。
【００３０】
なお、本第５実施形態において、この付勢具１６は板本体２の長手方向一端側にのみ設けたものとしたが、両端側へ設けてもよいことは言うまでもない。
その他の構成及び作用効果については第１乃至第４実施形態と略同様であるため、ここでの詳説は省略する。
ところで、本発明は上記各実施形態に限定されるものではない。
例えば、板本体２は正方形状としたり円形としたりすることができる。
また、取付部材４についても、同様に、板本体２の形状に応じて枠形状の変更が可能である。また、枠型にしないものであってもよい。
【００３１】
ヒンジ部３や付勢具１６の使用数、閉止ロック機構１３の構造や有無等についても、適宜変更可能である。
【００３２】
【発明の効果】
以上の説明から明らかなように、本発明に係る開閉足場板装置では、開閉操作が軽快に行えるものであり、しかも閉止状態下において板本体が浮き上がるといった不具合の発生が未然に防止されている。
【図面の簡単な説明】
【図１】本発明に係る開閉足場板装置の第１実施形態を示した斜視図である。
【図２】第１実施形態の開閉足場板装置における板本体の閉止状態を示す中間省略平面図である。
【図３】図１に対応する一部破砕側面図である。
【図４】図１に対応する正面図である。
【図５】本発明に係る開閉足場板装置の第２実施形態を示した一部破砕側面図である。
【図６】第２実施形態の開閉足場板装置における板本体の閉止状態を示す正面図である。
【図７】図６のＡ−Ａ線矢視に対応する一部破砕平面図である。
【図８】本発明に係る開閉足場板装置の第３実施形態を示した一部破砕側面図である。
【図９】第３実施形態の開閉足場板装置における板本体の閉止状態を示す正面図である。
【図１０】図９のＢ−Ｂ線矢視に対応する一部破砕平面図である。
【図１１】本発明に係る開閉足場板装置の第４実施形態を示した一部破砕側面図である。
【図１２】第４実施形態の開閉足場板装置における板本体の閉止状態を示す正面図である。
【図１３】図１２のＣ−Ｃ線矢視に対応する一部破砕平面図である。
【図１４】本発明に係る開閉足場板装置の第５実施形態を示した斜視図である。
【図１５】図１４に対応する側面図である。
【図１６】ローリングタワーの一例を示す斜視図である。
【符号の説明】
１      開閉足場板装置
２      板本体
３      ヒンジ部
４      取付部材
５      昇降口
１６      付勢具
２０      フランジ部
１０３      作業ステージ
【図１】
0003954370.tif 000002
【図２】
0003954370.tif 000003
【図３】
0003954370.tif 000004
【図４】
0003954370.tif 000005
【図５】
0003954370.tif 000006
【図６】
0003954370.tif 000007
【図７】
0003954370.tif 000008
【図８】
0003954370.tif 000009
【図９】
0003954370.tif 000010
【図１０】
0003954370.tif 000011
【図１１】
0003954370.tif 000012
【図１２】
0003954370.tif 000013
【図１３】
0003954370.tif 000014
【図１４】
0003954370.tif 000015
【図１５】
0003954370.tif 000016
【図１６】
0003954370.tif 000017